(57)【要約】【課題】ヘルメットに取り付けた場合に走行風などの外力の影響を受け難くし、ヘルメットに対して容易な着脱性が確保された情報表示装置を提供する。【解決手段】情報を表示する表示部２と、前記表示部２をヘルメットに取り付けるため前記表示部２と接続されるフレーム３とを備える情報表示装置において、前記フレーム３は弾性を有し、前記フレーム３の両端に押当て部３１，３２を備え、弾性変形による復元力により前記押当て部３１，３２がヘルメットの内側に固定され、前記表示部２と前記フレーム３は一箇所の接続部４を備え、前記表示部２が前記フレーム３に対して変位自在に支持されている。【選択図】図１
2018150646.tif 000002
【特許請求の範囲】
【請求項１】
情報を表示する表示部（２）と、
前記表示部（２）をヘルメットに取り付けるため前記表示部（２）と接続されるフレーム（３）とを備える情報表示装置において、
前記フレーム（３）は弾性を有し、前記フレーム（３）の両端に押当て部（３１，３２）を備え、弾性変形による復元力により前記押当て部（３１，３２）がヘルメットの内側に固定され、
前記表示部（２）と前記フレーム（３）は一箇所の接続部（４）を備え、
前記表示部（２）が前記フレーム（３）に対して変位自在に支持されていることを特徴とする情報表示装置。
【請求項２】
前記接続部（４）はピッチ方向（Ｐ）の回動機構を備えることを特徴とする請求項１に記載の情報表示装置。
【請求項３】
前記接続部（４）はヨー方向（Ｙ）の回動機構を備えることを特徴とする請求項１または２に記載の情報表示装置。
【請求項４】
前記接続部（４）は前記表示部（２）が前記フレーム（３）に沿うようにスライド移動可能なスライド機能を備えることを特徴とする請求項１乃至３のいずれか一項に記載の情報表示装置。
【請求項５】
前記押当て部（３１，３２）に補助固定機能（３１ｂ，３２ｂ）を備えることを特徴とする請求項１乃至４のいずれか一項に記載の情報表示装置。
【発明の詳細な説明】
【技術分野】
【０００１】
本発明は、ヘルメットに着脱自在に装着される情報表示装置に関する。
【背景技術】
【０００２】
従来、画像を表示する表示器を備えるヘッドマウントディスプレイ装置がヘルメットに着脱自在に装着される技術が知られている（例えば、特許文献１参照）。
特許文献１では、ヘッドマウントディスプレイ装置を複数のヘルメットで流用可能とするため、弾性を有するホルダにより、ヘルメット外側を挟持してヘルメットに取り付ける技術が開示されている。
【先行技術文献】
【特許文献】
【０００３】
【特許文献１】特開２００８−２８５７９９号公報
【発明の概要】
【発明が解決しようとする課題】
【０００４】
特許文献１に記載の技術では、ヘルメットに固定するためのホルダがヘルメットの外側に存在するため、例えば、鞍乗り型車両の乗員用のヘルメットでは走行風等の外力の影響を大きく受け易いという問題がある。また、ホルダは複数の保持部によりヘルメットに固定されるため、着脱の際の作業性が煩雑になるという問題がある。
【０００５】
本発明は、上述した事情に鑑みてなされたものであり、ヘルメットに取り付けた場合に走行風などの外力の影響を受け難くし、ヘルメットに対して容易な着脱性が確保された情報表示装置を提供することを目的とする。
【課題を解決するための手段】
【０００６】
本発明は、情報を表示する表示部（２）と、前記表示部（２）をヘルメットに取り付けるため前記表示部（２）と接続されるフレーム（３）とを備える情報表示装置において、前記フレーム（３）は弾性を有し、前記フレーム（３）の両端に押当て部（３１，３２）を備え、弾性変形による復元力により前記押当て部（３１，３２）がヘルメットの内側に固定され、前記表示部（２）と前記フレーム（３）は一箇所の接続部（４）を備え、前記表示部（２）が前記フレーム（３）に対して変位自在に支持されていることを特徴とする。
【０００７】
上記発明において、前記接続部（４）はピッチ方向（Ｐ）の回動機構を備えても良い。
また、上記発明において、前記接続部（４）はヨー方向（Ｙ）の回動機構を備えても良い。
【０００８】
また、上記発明において、前記接続部（４）は前記表示部（２）が前記フレーム（３）に沿うようにスライド移動可能なスライド機能を備えても良い。
また、上記発明において、前記押当て部（３１，３２）に補助固定機能（３１ｂ，３２ｂ）を備えても良い。
【発明の効果】
【０００９】
本発明は、情報表示装置がヘルメット内側に取付けられるため、外力からの影響を抑制することができる。また、フレームが撓んで取付けられるため、汎用性及び着脱容易性を確保することがきる。さらに、接続部により表示部がフレームに対して変位自在に支持できる。また、接続部を一箇所とすることで表示部へのフレームの撓みの影響を削減することができる。
【００１０】
上記発明において、接続部はピッチ方向の回動機構を備えることにより、使用者の個体差に応じた表示部の位置調整をすることができる。また、表示部をピッチ方向に移動させることにより、眼鏡の着脱を容易にすることができる。
【００１１】
また、上記発明において、接続部はヨー方向の回動機構を備えることにより、使用者の個体差に応じた表示部の位置調整をすることができる。
また、上記発明において、接続部はスライド機能を備えることにより、使用者の個体差に応じた表示部の位置調整をすることができる。
また、上記発明において、押当て部に補助固定機能を備えることにより、情報表示装置がヘルメットに取付けられる場合に、回り止めや滑り止め等によるヘルメットへの固定機能を強化することができる。
【図面の簡単な説明】
【００１２】
【図１】第１実施形態のＨＭＤ装置がヘルメットに取り付けられた場合の説明図である。
【図２】本発明に係る第１実施形態のＨＭＤ装置の斜視図である。
【図３】接続部の分解斜視図である。
【図４】ＨＭＤ装置の平面図であり、フレームが撓む場合の説明図である。
【図５】第２実施形態のＨＭＤ装置がヘルメットに取り付けられた場合の説明図である。
【発明を実施するための形態】
【００１３】
以下、図面を参照して本発明の各実施形態について説明する。なお、説明中、前後左右および上下といった方向の記載は、特に記載がなければ使用者に対する方向と同一とする。また、各図に示す符号ＦＲは使用者前方を示し、符号ＵＰは使用者上方を示し、符号ＬＨは使用者左方を示している。
【００１４】
＜第１実施形態＞
図１は、本発明に係る第１実施形態のＨＭＤ装置１の斜視図である。
ＨＭＤ装置（情報表示装置）１は、例えば、鞍乗り型車両の乗員用のヘルメット１００に着脱可能に構成されており、ヘルメット１００に取り付けられてヘルメット１００と共に頭部に装着されるヘッドマウントディスプレイ（Head Mounted Display）装置である。
ＨＭＤ装置１は、情報を表示する表示部本体２（表示部）と、表示部本体２（表示部）が支持される湾曲した形状のフレーム３と、を備える。
【００１５】
表示部本体２は、図２に示すように、眼鏡型フレーム１０を有する。眼鏡型フレーム１０は、四角環状の左右のリム部１１，１２を有している。リム部１１，１２は、平板状のブリッジ部１３で連結されている。各リム部１１，１２には、情報を表示する透過表示部１４，１５が支持されている。透過表示部１４，１５は、投影装置１６，１７から投影された情報画像が視野に向けて反射可能であると共に、透過表示部１４，１５の前方の実像が視野に向けて透過可能に構成されている。投影装置１６，１７は、内部にバッテリ（不図示）と、外部の情報処理装置（不図示）との間で通信可能な通信ユニット（不図示）と、処理部（不図示）とを有しており、外部の情報処理装置との通信に基づいて透過表示部１４，１５に向けて情報の画像を投影する。
【００１６】
表示部本体２は、リム部１１，１２を連結するブリッジ部１３に対し、接続部４が連結されている。接続部４は、図３に示すように、ブリッジ部１３に連結されるＴ字形の連結軸６１を有している。連結軸６１は、ピッチ軸部６２およびヨー軸部６３を有している。ブリッジ部１３には、左右方向に延びるピッチ嵌合溝７０が形成されると共に、ピッチ嵌合溝７０に連なる切り欠き７１（図２参照）が形成される。ピッチ嵌合溝７０には、ピッチ軸部６２がピッチ方向Ｐ（図２参照）に回動可能に嵌合し、ピッチ軸部６２がピッチ方向Ｐに回動した場合、ヨー軸部６３が切り欠き７１に嵌りあう。
ピッチ軸部６２には軸カバー７２が設けられ、軸カバー７２はブリッジ部１３に対し、小ネジ７３，７４で締結されている。小ネジ７３，７４の締め付け具合により、ピッチ軸部６２と軸カバー７２との接触圧が調整され、ピッチ軸部６２が受ける摩擦力が調整可能となっている。連結軸６１、ピッチ嵌合溝７０、切り欠き７１、軸カバー７２により、ピッチ方向Ｐの回動機構が構成されている。
【００１７】
ヨー軸部６３には、前カバー４１が設けられる。前カバー４１には、断面弧状のヨー嵌合溝４５が形成され、ヨー嵌合溝４５には、ヨー軸部６３が嵌合される。前カバー４１には、ほぼ水平方向に延びる一対のガイドリブ４３，４４が形成されている。上側のガイドリブ４３と下側のガイドリブ４４との間に、フレーム３が配置され、フレーム３を挟むようにして、後カバー４２が前カバー４１に固定される。後カバー４２と前カバー４１は、図示しないスナップフィット構造により連結される。前カバー４１、後カバー４２が一体となって、表示部本体２が、ヨー軸部６３を中心にヨー方向Ｙに回動可能となる。前カバー４１と後カバー４２とはカバー体４０を構成する。前カバー４１、後カバー４２、ヨー嵌合溝４５およびヨー軸部６３により、ヨー方向Ｙの回動機構が構成される。
【００１８】
フレーム３は、前カバー４１と後カバー４２との密着力（摩擦力）によって、各カバー４１,４２の間に保持されている。この際、前カバー４１と後カバー４２とが、一体となって、表示部本体２が、フレーム３に沿ってスライド方向Ｓ（図２参照）に移動できる程度の摩擦力に調整されている。表示部本体２に対し、スライド方向Ｓに力が作用すると、摩擦力に抗して、カバー体４０がフレーム３に沿って移動する。このため、スライド方向Ｓについて、フレーム３に対する表示部本体２の位置を調節可能である。
ブリッジ部１３と、カバー体４０と、連結軸６１と、軸カバー７２と、小ネジ７３、７４とにより、接続部４が構成される。接続部４により表示部本体２がフレーム３に対して変位自在に支持される。
【００１９】
フレーム３は、薄板状のフレーム本体部３０を有する。フレーム本体部３０は、縦幅が一定に形成されており、図４に示すように、円弧状に湾曲している。フレーム本体部３０は弾性変形可能であり、図４の実線で示す位置から二点鎖線で示す位置に向けて湾曲する。フレーム本体部３０の左右両端には、図２に示すように、上方に向かって膨出した押当て部３１，３２が形成されている。押当て部３１，３２は、外側の面に押当て面３１ａ，３２ａを有する。押当て面３１ａ、３２ａには、左右方向に突出する複数の引掛け突部（補助固定機能）３１ｂ，３２ｂが形成されている。フレーム３は、図４に二点鎖線で示すように、撓んだ状態でヘルメット１００内に配置される。フレーム３は弾性復元すると、図１に示すように、押当て面３１ａ，３２ａがヘルメット１００の内面に当接し、この際に、引掛け突部３１ｂ，３２ｂがヘルメット１００の内装部材１０１に引っ掛かる。内装部材１０１は、クッション材、繊維材などで構成される。
【００２０】
本実施形態では、ＨＭＤ装置１は、フレーム３を撓ませた状態でヘルメット１００の内部に配置される。撓んだフレーム３は、ヘルメット１００の内部で弾性復元すると、図１に示すように、押当て部３１，３２の押当て面３１ａ，３２ａが、ヘルメット１００の内面に押し当てられて取り付けられる。また、ヘルメット１００からＨＭＤ装置１を取り外す場合には、フレーム３を撓ませて、押当て面３１ａ，３２ａを内装部材１０１から離間させ、ヘルメット１００からの摩擦力、抵抗力を受け難くして、ＨＭＤ装置１を容易に取り外しできる。ＨＭＤ装置１を、ユーザーの頭部に使用するとき、フレーム３の押当て部３１，３２が、ヘルメット１００の内面に固定される。
【００２１】
この状態で、眼鏡型フレーム１０は、ピッチ軸部６２を中心にピッチ方向Ｐに回動でき、ヨー軸部６３を中心にヨー方向Ｙに回動できる。従って、ユーザーは、任意の方向に表示部本体２を回動できる。また、ブリッジ部１３の正面には、切り欠き７１が形成されているため、眼鏡型フレーム１０を、ピッチ方向Ｐに回動する場合、ヨー軸部６３が切り欠き７１に進入し、表示部本体２を、ほぼ水平状態まで回動できる。
【００２２】
本実施形態では、ＨＭＤ装置１がヘルメット１００の内側に配置されるため、鞍乗り型車両の運転時にはＨＭＤ装置１が風圧などの外圧からの影響を抑制可能である。また、ＨＭＤ装置１をヘルメット１００に着脱する場合には、フレーム３を撓ませるだけでよく、容易に着脱可能になっている。さらに、フレーム３の弾性を利用して着脱する構成であるため、種類の異なる複数のヘルメット１００に対して容易に取り付け可能であり、複雑な取り付け構成を必要とせず、ＨＭＤ装置１のヘルメット１００に対する汎用性が確保されている。
【００２３】
また、フレーム３の両端の押当て面３１ａ、３２ａには、引掛け突部３１ｂ，３２ｂが設けられており、ヘルメットの内装材としてのクッション材、繊維材に引っかかる。引掛け突部３１ｂ，３２ｂが設けられていない場合に比べて、ヘルメット１００の内面に対して固定され易くなっており、ＨＭＤ装置１全体がヘルメット１００に対して滑ったり、回動したりすることが抑制されている。よって、ＨＭＤ装置１の取り付け時の固定を安定させることが可能である。
【００２４】
また、表示部本体２とフレーム３とは接続部４の一箇所で接続されており、表示部本体２はヨー軸部６３を介して一点で接続されている。仮に、複数個所でフレーム３と表示部本体２とを接続したとすると、フレーム３を撓ませた場合に接続箇所の２点間の距離が変わろうとするため、表示部本体２にも撓む方向の力が作用する。しかしながら、本実施形態では、フレーム３と表示部本体２とは、接続部４におけるヨー軸部６３一点により接続される構成であるため、複数個所で支持される構成に比べて、表示部本体２へのフレーム３の撓みの影響を削減可能である。
【００２５】
さらに、接続部４は、ピッチ軸部６２およびピッチ嵌合溝７０を有するピッチ方向の回動機構を備えている。したがって、使用者が、ＨＭＤ装置１が取り付けられたヘルメット１００を被った状態で、使用者が顔の形状に合わせて、表示部本体２をピッチ方向Ｐに回動させることが可能であり、表示部本体２を上下方向に回動させた姿勢で保持可能である。したがって、ピッチ方向Ｐの回動機構により、使用者の個体差に応じた調整が可能になっている。特に、表示部本体２は図１に示す位置からピッチ方向Ｐに少なくとも９０度、傾斜させることが可能である。よって、眼鏡の使用者は、表示部本体２を上方に回動させた姿勢として、眼鏡を容易に着脱可能になっている。
【００２６】
また、接続部４は、ヨー軸部６３およびヨー嵌合溝４５を有するヨー方向Ｙの回動機構を備えている。したがって、使用者が、ＨＭＤ装置１が取り付けられたヘルメット１００を被った状態で、使用者の顔の左右形状の違いに応じて、表示部本体２をヨー方向Ｙに回動させることが可能である。よって、ヨー方向Ｙの回動機構により、使用者の個体差に応じて表示部の位置調整が可能になっている。
【００２７】
さらに、接続部４は、表示部本体２がフレーム３に沿ってスライド移動可能なスライド機能を備えているため、使用者が、ＨＭＤ装置１が取り付けられたヘルメット１００を被った状態で、両目の位置に合わせて、表示部本体２をスライドさせることが可能である。したがって、使用者の個体差に応じて、表示部本体２の位置調整が可能になっている。
【００２８】
＜第２実施形態＞
図５は、第２実施形態の説明図である。
第２実施形態のＨＭＤ装置１では、接続部４に中央部の補助固定機構２０１が設けられている。第１実施形態の図面と同一部材には同一符号を付し、説明を省略する。補助固定機構２０１は、接続部４の前カバー４１の上部に一体的に形成された延伸部２０２を有する。延伸部２０２は、上方に進むに連れて後方に湾曲した面状に形成されている。延伸部２０２の前面には、面ファスナのフック部２０３が固定支持されている。また、ヘルメット１００の内面前方部には、面ファスナのループ部２０４が固定支持されている。ループ部２０４は、左右方向に長い状態で配置されており、接続部４がスライド方向Ｓに移動しても、フック部２０３とループ部２０４とが係合可能に配置されている。延伸部２０２、フック部２０３、ループ部２０４により、補助固定機構２０１が構成される。
【００２９】
第２実施形態では、ＨＭＤ装置１はフレーム３の弾性復元力と、面ファスナのフック部２０３とループ部２０４との結合力とでヘルメット１００に取り付けられる。
したがって、フレーム３を弾性変形させ、面ファスナを接離させることにより、ＨＭＤ装置１が取り外し可能になっている。よって、第２実施形態でも第１実施形態と同様に、ヘルメット１００の内側に取り付けられており、風圧などの外力の影響が抑制される。また、フレーム３の撓みと面ファスナを利用した取付けであるため、汎用性および着脱容易性が確保されている。
【００３０】
第２実施形態では、表示部本体２の重みが作用し易い左右方向中央部に応じて補助固定機構２０１が設けられており、ＨＭＤ装置１がヘルメット１００に対して安定した状態で取り付けられ易い。なお、中央部の補助固定機構２０１としては、クリップ（不図示）でヘルメットの内装部材１０１を挟んで固定することも可能である。また、磁石（不図示）の磁力により吸着される部材をヘルメット１００と延伸部２０２とに設けてヘルメット１００に固定する構成も可能である。また、クリップなどを使用する場合には、延伸部２０２は一体形成でも良いし、クリップとフレーム３とを連結する紐（不図示）でも良い。また、ヘルメット１００に対する中央部の補助固定機構２０１は１箇所ではなく、カバー体４０がスライド方向Ｓにスライド可能であれば、フレーム３における接続部４の両側の２か所に補助固定機構２０１を設ける構成も可能である。
【００３１】
上述した実施形態は、あくまでも本発明の一態様を示すものであり、本発明の主旨を逸脱しない範囲で任意に変形及び応用が可能である。
第１実施形態と第２実施形態では、フレーム３の押当て部３１，３２には、両端の補助固定機構として引掛け突部３１ｂ，３２ｂが設けられた構成を説明したが、摩擦力を増大させるゴム板を設ける構成が可能である。また、ヘルメット１００側に対応する部材も必要であるが、面ファスナや、磁石による吸着力を利用した構成も可能である。
【００３２】
第１実施形態と第２実施形態では、ＨＭＤ装置１のフレーム３がヘルメット１００の内装部材１０１に係合する構成を例示したが、ヘルメット１００に配置される内装部材１０１としてのクッション材などが着脱可能な構成では、クッション材と、ヘルメットの衝撃吸収材との間にフレーム３を配置して取り付ける構成も可能である。なお、この場合には、押当て部３１，３２の内側面においても補助機構を設けても良い。
【符号の説明】
【００３３】
２  表示部
３  フレーム
４  接続部
Ｐ  ピッチ方向
Ｙ  ヨー方向
３１，３２  押当て部
【図１】
2018150646.tif 000003
【図２】
2018150646.tif 000004
【図３】
2018150646.tif 000005
【図４】
2018150646.tif 000006
【図５】
2018150646.tif 000007